(57)【要約】【課題】温灸具としての効果を発揮することは勿論のこと、シンプルな構成で安価に製造・販売できて、経済的弱者にとっても容易に入手して使用でき、また使用方法も簡単であると共に、高齢者等にヤケドや火災の発生等の危険も無くせるようにした温灸具を提供すること。【解決手段】偏平状とした布製袋１で、身体に当てない面２に、使い捨てカイロ４を収納可能な大きさのポケット３を設けると共に、布製袋１内に、小さく砕いた遠赤外線放射物とそれらに砂を混ぜたものを収納して閉じたもの。【選択図】        図１
0003204657.tif 000002
【実用新案登録請求の範囲】
【請求項１】
偏平状とした布製袋１で、身体に当てない面２に、使い捨てカイロ４を収納可能な大きさのポケット３を設けると共に、布製袋１内に、小さく砕いた遠赤外線放射物と、それらに砂を混ぜたものを収納して閉じてなる、温灸具。
【請求項２】
遠赤外線放射物として、小さく砕いた天照石５を用いた、請求項１に記載の温灸具。
【請求項３】
遠赤外線放射物として、小さく砕いた溶岩石を用いた、請求項１または２に記載の温灸具。
【請求項４】
遠赤外線放射物として、小さく砕いたブラックシリカを用いた、請求項１、２または３に記載の温灸具。
【請求項５】
遠赤外線放射物として、小さく砕いたシナモンを用いた、請求項１、２、３または４に記載の温灸具。
【請求項６】
砂として海岸砂を用いた、請求項１、２、３、４または５に記載の温灸具。
【考案の詳細な説明】
【技術分野】
【０００１】
本考案は、腰その他の部位のこり、神経痛、筋肉疲労等を、温めることでその解消・治療・回復を目指す温灸具に関するものである。
【背景技術】
【０００２】
近時、高齢化が進むにつれて、腰痛・肩こり・神経痛・筋肉疲労等で悩む人が増えている。その解決法の一つとして温灸具を用いる温灸法があり、温灸具も従来から幾つもが提案され、また商品化もされている。
【０００３】
温灸は東洋医学によれば、体内に張り巡らされた経路上の経穴（ツボとも言われる）に大して温熱刺激を加えることで，血液循環を良くすることにより、上記腰痛等に効果があるとされている。その温灸具として従来より幾つかのものがある。
【先行技術文献】
【特許文献】
【０００４】
１．従来から用いられているモグサの有効成分を利用する温灸具であるが、モグサに点火して用いるので、火傷の防止やモグサが落下して火災の原因を防止するための工夫をした例。
【特許文献１】実開平３−７０１３４公報
【特許文献２】実開平７−３９８３６公報
【特許文献３】実開平１１−２４４３５４公報
【特許文献４】実用新案登録第３０６０９８４号公報
【０００５】
２．モグサを用いながら、モグサに点火しないで熱源として使い捨てカイロ、電子レンジ、あるいはヒータを用いた例。
【特許文献５】実開昭６１−１２４６３４公報
【特許文献６】実開平２−３７３３公報
【特許文献７】実開平２−３７６５８公報
【特許文献８】特開２００４−１２１７３１公報
【特許文献９】特開２０１１−２１２３７４公報
【０００６】
３．モグサも用いるが、別の加熱手段を用いずに、遠赤外線放射体、遠赤外線粉末、あるいは磁石を用いた例。
【特許文献１０】実開平昭６１−４８７３７公報
【特許文献１１】特許第４６９４５６４号公報
【特許文献１２】特開平１１−２２６０８３公報
【特許文献１３】実用新案登録第３１９６１１６号公報
【考案の概要】
【考案が解決しようとする課題】
【０００７】
ところが、上記特許文献１ないし４に記載のものは、身体表面とモグサとの間に空間層を設けるようにしたり、セラミック製その他の台座を介在させたり、モグサを入れる特殊な形状の容器を必要としたりするため、製造に手間がかかったり、製品を安価に提供することができなかった。
【０００８】
また上記特許文献５ないし９に記載のものは、モグサや温灸具の他に熱源として使い捨てカイロや電子レンジを必要とするが、高齢者のように電子レンジを操作できない者もいるし、使い方によってはやはりヤケドや火災の心配もあった。
【０００９】
さらに上記特許文献１０ないし１３に記載のものは、他の熱源を用いないが、そのために使用開始時に冷たかったり、温めたとしても温度の低下が早かったり、また製造工程が複雑になって安価に提供できなかったりした。
【００１０】
このように、上記従来のものでは、火傷や火災の心配があったり、高齢者その他の経済的弱者にとっては高価であったり、また使用方法が難しかったりしたものが多かった。
本考案は、上記のような温灸具の効果を発揮することは勿論のこと、安価に製造・販売できると共に、使用方法が誰にとっても簡単であり、かつ使用によるヤケドや火災の発生等をを無くせるような温灸具の提供を目的とする。
【課題を解決するための手段】
【００１１】
本考案に係る温灸具は、
偏平状とした布製袋１で、その身体に当てない面２に、使い捨てカイロ４を収納可能な大きさのポケット３を設けると共に、布製袋１内に、小さく砕いた遠赤外線放射物と砂と混ぜたものを収納して閉じてなるものである。天照石５、溶岩石６、ブラックシリカ７と、それらに
【００１２】
上記構成において、布製袋１は厚めのもので、ブロード織りのものが望ましく、またそのサイズは、手の平よりやや大きめで例えば縦約１５〜２０ｃｍ、横約２０〜２５ｃｍ、厚さは上記小さく砕いた天照石５等を収納時に約２〜３ｃｍになる程度が望ましい。
またポケット３の大きさは、縦幅１０〜１２ｃｍで、横幅が１６〜１７ｃｍ程度のものでよい。但し、この大きさに限定するものではない。
【００１３】
上記で砕いた遠赤外線放射物とは、天照石５、溶岩石６、ブラックシリカ７等をいう。  ここで、天照石５とは、例えば大分県と宮崎県の県境付近から採掘される岩石である。また溶岩石５とは、例えば富士山での玄武岩、阿蘇山での流絞岩その他がある。特に阿蘇山の溶岩石を用いていることが望ましい。さらにブラックシリカ（黒鉛珪石）７は、例えば有珠山等の山麓で取れる溶岩石を用いることが好適である。また上記で砂８は、海岸砂を用いることが望ましい。なお、上記に加えてシナモン（肉桂とかニッキともいう）を混入することも望ましい。
【考案の効果】
【００１４】
上記構成の温灸具の製造は、偏平な袋状に形成した布製袋１を形成して、内部に、小さく砕いた遠赤外線放射物と砂とを混ぜたものを収納可能とし、かつ該布製袋１の身体に当てない面２にポケット３を形成して、該ポケット３内に使い捨てカイロ４を収納可能として、砕いた遠赤外線放射物と砂とを混ぜたものを収納後に開口部を閉じておけばよい。
【００１５】
そしてこの温灸具の使用は、ポケット３に使い捨てカイロ４を収納して、温かくなってきた状態で、身体の腰・肩・膝その他の痛みや筋肉疲労等がある部位のツボ上に置くようにすればよい。なお、使い捨てカイロ４が予備が無くなった場合に、電子レンジの使用に慣れておれば、使い捨てカイロを用いる代わりに、電子レンジで加温して使用しようとすれば可能である。
【００１６】
これにより、ａ）本温灸具には身体に当てない面２にポケット３を形成してある。そのため、本温灸を温かい状態で使用したい場合は、使い捨てカイロ４を、そのポケット３に差しいれるだけでよい。このポケット３は布製袋１の身体に当てない面２に形成してあるので、使い捨てカイロ４を使用しない場合にも、嵩張ったり邪魔にならず、携帯や保管が容易である。
【００１７】
ｂ）本温灸具は、シンプルな構成で容易に製造できるから安価に提供でき、いわゆる経済的弱者でも入手して、容易に使用することができる。また本温灸具は、布製袋１の身体に当てない面２に設けたポケット３に使い捨てカイロ４を収容して用いるので、モグサに点火するもののような火災の心配もなく、またヤケドのおそれもない。
【００１８】
ｃ）本温灸具内に収納した天照石５は、太陽光線の照射や自然の動的な力・エネルギーを吸収して電位を得て、４〜１４ミクロンの遠赤外線を再放射し、毛細血管を拡張して新陳代謝を向上させ、かつ細胞を活性化して免疫力を向上させる作用が期待できる。
【００１９】
ｄ）同じく、本温灸具内に収納した溶岩石６は、それから放射される遠赤外線やマイナスイオンが、新陳代謝を向上させ、リラクゼーション作用が期待される。
ｅ）同じく、本温灸具内に収納してあるブラックシリカ７は、遠赤外線の放出と共に、それから発生するマイナスイオンが上記溶岩石と同様に、新陳代謝を向上させ、リラクゼーション作用が期待される。
【００２０】
ｆ）また、本温灸具内に収納してある砂８は、上記天照石５・溶岩石６・ブラックシリカ７等間に介在することにより、身体への当たりを和らげる効果があると共に、特に海岸砂を用いた場合には、含まれている塩分が発汗を促す効果を考えられる。
【００２１】
ｇ）そして、本温灸具を使用する際に、上記の如くポケット３に使い捨てカイロを収納することにより、温かくなった状態で、身体の腰・肩・膝その他の痛みや筋肉疲労等がある部位のツボ上に置くことができるし、単にモグサや天照石等を用いたものと比べて、使い心地が良いだけでなく、冷えにくくて長時間の保温効果があり、より一層の温灸効果が得られる。
【００２２】
ｈ）なお、上記に加えてシナモン（肉桂とかニッキともいう）を混入した場合には、古来より言われているように、毛細血管に作用して、血行不良を改善し、血管修復・冷え症等改善や、膝痛・肩痛の軽減等の効果を期待できる。
【図面の簡単な説明】
【００２３】
【図１】本考案に係る温灸具の実施例を示す斜視図である。
【図２】図１で示したもののＩ−Ｉ線拡大部分断面図である。
【考案を実施するための形態】
【００２４】
本考案は  身体に当てない面２に使い捨てカイロ４を収納可能なポケット３をもつ偏平状の布製袋１を用意しておき、他方で、小さく砕いた遠赤外線放射物とそれらに砂を混ぜたものを用意しておき、それらを上記偏平状の布製袋１内に収容する。使用に際しては、必要に応じて使い捨てカイロをポケット３内に収納すれはよい。
【実施例１】
【００２５】
図１は本考案に係る温灸具の実施例を示すものである。
本考案に係る温灸具は、
１は布製袋を示し、ここでは、厚めのブロード織りの布を用いて、大きさが平面図で縦幅が約１７ｃｍ、横幅が約２３ｃｍで、偏平な袋状に形成してある。また内部に遠赤外線放射物として、ここでは小さく砕いた天照石５と溶岩石６とブラックシリカ７と、それらに砂８を混ぜたものを収納して閉じた状態時には厚さが約３ｃｍになるようにしてある。        
【００２６】
また該布製袋１の内で身体に当てない面２に、使い捨てカイロ４を収納可能な大きさのポケット３を付設してあり、その大きさはここでは縦幅約１１ｃｍ、横幅約１７ｃｍとしてある。上記布製袋１およびポケット３の形成は、ここでは布を接着して行ったが、縫製によってもよい。
【００２７】
上記布製袋１の内部には、遠赤外線放射物として、ここでは小さく砕いた天照石５と溶岩石６とブラックシリカ７と、それらに砂８を混ぜたものを収納してある。遠赤外線放射物の各大きさは、例えば１立方ｃｍ程度以下の大きさとして、また砂としてはここでは海岸砂を用いている。
【００２８】
上記で天照石５は、ここでは大分県と宮崎県の県境付近から採掘されるものを用いており、また溶岩石６は、ここでは阿蘇山で取れる流絞岩を用いており、さらにブラックシリカ７は、ここでは有珠山の山麓で取れる溶岩石を用いている。なお、上記に加えてシナモンは樹皮小さくしたものを用いている。
【産業上の利用可能性】
【００２９】
本考案は、温灸具としての作用・効果を期待できるものでありながら、シンプルな構成で製造が容易で安価に提供でき、経済的弱者も入手し易いし、使用方法も簡単でかつ火傷や火災の心配も少なく、高齢者も利用し易い温灸具として、需要が多いと思われるものである。
【符号の説明】
【００３０】
１−布製袋
２−身体に当てない面
３−ポケット
４−使い捨てカイロ
５−天照石
６−溶岩石
７−ブラックシリカ
８−砂
９−身体
【図１】
0003204657.tif 000003
【図２】
0003204657.tif 000004